(57)【要約】【課題】操作者がガントリと同時に移動できて安全な医用画像診断装置を提供する。【解決手段】本考案が提供する第一の実施例は、図１に示すとおり、ガントリＰＧまたはＸＧの外周に乗載台ＳＤ１、ＳＤ２を付設したものである。各ガントリＰＧまたはＸＧに乗載台ＳＤ１、ＳＤ２が設置された例を示している。ガントリＰＧまたはＸＧはトンネル形状型で、外周の形状は円形型と分厚い平板状で外周が四角状をなし中心部に円形の孔を形成した形態のものがあるが、乗載台ＳＤ１、ＳＤ２はこの外周における垂直面から張り出した形の設置か、傾斜面から張り出した形の設置になる。【選択図】    図１
0003140785.tif 000002
【実用新案登録請求の範囲】
【請求項１】
診断のためのガントリが患者に対して進退自在に移動可能なガントリ移動型の医用画像診断装置において、ガントリに操作者が乗載できる乗載台を付設する構造を特徴とする医用画像診断装置。
【請求項２】
乗載台の付設構造がガントリに対して一体的な構造であることを特徴とする請求項１記載の医用画像診断装置。
【請求項３】
乗載台の付設構造がガントリに対して着脱自在な構造であることを特徴とする請求項１記載の医用画像診断装置。
【請求項４】
乗載台の付設構造がガントリに対して傾動自在な構造であることを特徴とする請求項１記載の医用画像診断装置。
【請求項５】
乗載台の付設構造がガントリに対して出没自在な構造であることを特徴とする請求項１記載の医用画像診断装置。
【請求項６】
診断のためのガントリが患者に対して進退自在に移動可能なガントリ移動型の医用画像診断装置において、ガントリに、操作者が乗載できる乗載台とこの乗載台の上方位置操作者が把持する把手を付設する構造を特徴とする医用画像診断装置。
【考案の詳細な説明】
【技術分野】
【０００１】
本考案は、医用画像診断装置に関する。
本考案は「ポジトロン・エミッション・トモグラフィ」以下単に「ＰＥＴ」と称すると、Ｘ線ＣＴとを、共通なベッドを用いて検査することのできるシステム（以下「ＰＥＴ／ＣＴ」と称する）等からなる医用画像診断装置の中で、ガントリ移動型の構造に関するものである。
【背景技術】
【０００２】
本考案はガントリ移動型の医用画像診断装置に関するもので、その一例としては図１３に示すような、ポジトロン・エミッション・トモグラフィ（以下「ＰＥＴ」と称する）と、Ｘ線ＣＴとを、共通なベッドを用いて検査することのできるシステム（以下「ＰＥＴ／ＣＴ」と称する）がある。その概略を図１３にしたがって説明する。図１３には、ＰＥＴ装置としてのガントリＰＧと、Ｘ線ＣＴ装置としてのガントリＸＧの両方を組み合わせて使用する装置の概要が図示されている。
【０００３】
両方のガントリＰＧ、ＸＧともに床面に配設されたレールＲに沿って移動できるよう車輪ＴＬが下方部に取り付けられている。前記車輪ＴＬはこの電動駆動部ＭＢにて回転駆動される。なお、この車輪ＴＬの回転駆動制御は各ガントリＰＧ、ＸＧに設置された操作パネルＳＰ１またはＳＰ２の操作によって行われる。したがって両方のガントリＰＧ、ＸＧともにベッドＢ上の患者Ｋに対して進退移動可能に走査できるようになっており、患者Ｋは各ガントリＰＧ、ＸＧのトンネルＴＮ内に挿脱可能で診断されるようになっている（特許文献１参照）。
【０００４】
図１３に示されるＰＥＴ／ＣＴ装置では各ガントリＰＧ、ＸＧは断面した図で示され、あらかじめ放射性薬剤を投与された患者Ｋから放射されるエミッションデータは、ガントリＰＧ内に載置されたエミッションデータ用放射線検出器ＥＤによって検出され、患者Ｋを透過した線源ＬＳからのトランスミッションデータを用いて吸収補正され、ＰＥＴ画像が再構成される。
【０００５】
患者Ｋに癌などの病巣がある場合、その部分には他の組織より薬剤が集中するので、ＰＥＴ画像上高い画素値となって表れ、病巣を識別することができる。
ガントリ移動型のＰＥＴ／ＣＴ装置を用いた検査は、患者ＫをベッドＢに寝かせ、検査目的に応じた位置へガントリＰＧまたはガントリＸＧを移動させる。このときガントリＰＧ、ＸＧの移動はそれぞれのガントリの操作パネルＳＰ１またはＳＰ２の操作により、レールＲ上を移動する。なお、図１３においてＸＳはＸ線管球であり、ＸＤはＸ線検出器を示している。
【０００６】
ガントリ移動型の医用画像診断装置において、検査室内で操作者がガントリＰＧまたはＸＧを移動させる場合、ガントリＰＧまたはＸＧに取り付けられた操作パネル、またはガントリに接続された遠隔操作パネルにおいて操作を行う。
【特許文献１】特開２００５−３１２９３０号公報
【考案の開示】
【考案が解決しようとする課題】
【０００７】
それぞれのガントリＰＧまたはＸＧに取り付けられた操作パネルでガントリを移動させる場合、ガントリＰＧまたはＸＧの移動に伴い、操作者ＯＰは目的位置まで操作パネルＳＰ１またはＳＰ２を操作しながら、且つガントリＰＧまたはＸＧと一緒の速度で歩く必要がある。すなわち図１４に示すように操作者ＯＰは、ガントリＰＧまたはＸＧを移動させる場合は、ガントリＰＧまたはＸＧの衝突を避けるなど、常に注意を払って操作する必要がある。ガントリＰＧまたはＸＧに接続された遠隔操作パネル（図示せず）を操作する場合においても、多くの場合、ガントリＰＧまたはＸＧの移動とともに操作者も歩きながら操作を行う必要があり、確実な操作ができない事態が生じる。
【課題を解決するための手段】
【０００８】
本考案が第一に提供する医用画像診断装置は、上記課題を解決するために、診断のためのガントリが患者に対して進退自在に移動可能なガントリ移動型の医用画像診断装置において、ガントリに操作者が乗載できる乗載台（ステップ台）を付設する構造の医用画像診断装置である。
したがって、操作者はガントリの衝突を避けるなど、常に注意を払って操作する必要がなくなり、操作に専念できる。また、ガントリＰＧまたはＸＧの移動とともに操作者が移動できる機構を備えることで、歩きながらの操作を可能にするとともに、ガントリＰＧまたはＸＧの操作者との衝突（干渉）の危険をなくすことで、操作者はガントリＰＧまたはＸＧの移動操作に集中することができる。
【０００９】
さらに本考案によれば、乗載台の付設構造がガントリＰＧまたはＸＧに対して一体的な構造である。したがって、乗載台の安定化と操作者の安全性が確保できる。
また本考案によれば、乗載台の付設構造がガントリＰＧまたはＸＧに対して着脱自在な構造である。したがって、乗載台が不要な場合は、取り外すことないし邪魔にならないように対策をとることが可能となる。
また本考案によれば、乗載台の付設構造がガントリＰＧまたはＸＧに対して傾動自在な構造である。したがって、乗載台が不要な場合でも取り外す必要はなくて邪魔になることもなく、効果的である。
また本考案によれば、乗載台の付設構造がガントリＰＧまたはＸＧに対して出没自在な構造である。したがって、乗載台の付設走査が簡略となり、操作性が向上する。
また本考案によれば、乗載台を付設するとともに乗載台の上方位置に操作者が把持できる把手を付設した構造である。したがって、走査が簡略となり、操作性が向上するとともに把手の把持でより安全性が確保できる。
【考案の効果】
【００１０】
本考案は、ガントリ移動型の医用画像診断装置において、ガントリ移動時の操作者の負担を減らすことができる。特にガントリ移動時において操作者は操作をより正確にすることが可能となる。乗載台の付設と把手の併設で操作の安全性が保障される。
【考案を実施するための最良の形態】
【００１１】
本考案は、ガントリ移動型の医用画像診断装置において、ガントリＰＧまたはＸＧに操作者が乗載できる乗載台を付設したものである。付設の仕方としては、次の方式が挙げられる。すなわち、乗載台をガントリＰＧまたはＸＧに対して一体的な構造として付設する方式、あるいは、ガントリＰＧまたはＸＧに対して着脱自在な方式、さらにはガントリＰＧまたはＸＧに対して傾動自在な方式、さらにはガントリＰＧまたはＸＧに対して出没自在な方式などが挙げられる。したがってこれらいずれかの方式のものを診察場所の状況、事情などに応じて適切に選択しあるいは組み合わせて、乗載台を付設したものが最良の形態である。
【実施例１】
【００１２】
本考案が提供する第一の実施例は、図１に示すとおり、ガントリＰＧまたはＸＧの外周に乗載台ＳＤ１、ＳＤ２を付設したものである。各ガントリＰＧまたはＸＧに乗載台ＳＤ１、ＳＤ２が設置された例を示している。ガントリＰＧまたはＸＧはトンネル形状型で、外周の形状は円形型と分厚い平板状で外周が四角状をなし中心部に円形の孔を形成した形態のものがあるが、乗載台ＳＤ１、ＳＤ２はこの外周における垂直面から張り出した形の設置か、傾斜面から張り出した形の設置になる。ＳＰ３、ＳＰ４は操作パネルである。なお、図１において図１３と同一の符号で示される部品は図１３と同一であり、詳細な説明は省略する。
【００１３】
以下、この実施例一の具体例を図示にしたがって説明する。
図２は、ガントリＰＧの外周面に対して乗載台ＳＤ２を垂設した状態を示す斜視図で、乗載台ＳＤ２のガントリＰＧへの取付面は乗載台ＳＤ２の板厚より大きく設定され安定性を確保された形状になっている。なおＲはレールを示している。
図３に示す実施例はガントリＰＧの垂直状外周面でかつ下方部に塵取り状の乗載台ＳＤ３を付設した例を示している。両側の三角状側板は補強材で重量者が乗載してもそれに耐え得るように設計されて付設される。
【００１４】
図４に示す実施例は図３に示す塵取り状の乗載台ＳＤ３を大形化し、両ガントリＰＧ、ＸＧを合体させた場合に好適な乗載台ＳＤ４である。図中１は固定ボルトで２個の固定ボルト１によって両ガントリＰＧ、ＸＧが合体される。この図４の場合も重量者の乗載に耐える強度を有している。
図５に示す乗載台ＳＤ５は架設具２が伸設されたもので、架設具２の上方にはガントリＰＧの係止孔３に引掛けるフック部Ｆが形成されている。このフック部Ｆを係止孔３に着脱できるようになっている乗載台である。
【００１５】
図６の乗載台ＳＤ６は、乗載台ＳＤ６が支軸４を中心にしてガントリＰＧに対し傾動自在に付設されている形式のものである。乗載台ＳＤ６にはガイド溝５に挿入されたピン６が一体的に固定されている。なおこの実施例ではガントリＰＧに乗載台ＳＤ６を収容する凹部７が形成される。
【００１６】
図７の乗載台ＳＤ７は、ガントリＰＧに収納用凹部８が形成され、この収納用凹部８に対して乗載台ＳＤ７が出没する形式のものである。先端側に把手７Ｔが付設されて出没操作が容易にできるような構造となっている。
図８はこの乗載台ＳＤ７が引き出された例である。図８のように引き出されても重量者が乗載した際それに耐えるようガントリＰＧと乗載台ＳＤ７の出没案内機構（図示せず）が構成されている。具体的には乗載台ＳＤ７と同等の大きさの収納用凹部８がガントリＰＧに形成されていることが基本的な条件となる。
【００１７】
図９の乗載台は図１から図８に示してきた板状の乗載台と異なり、複数本の出没ピン９で構成されるものである。図示例では６本の出没ピン９がガントリＰＧに穿設された挿入孔１０に挿入されていて、適当な長さすなわち操作者がその上方に乗載できる広さを形成するに必要な長さだけ引き出せるようになっている。出没ピン９の個数は限定されない。
【実施例２】
【００１８】
本考案が提供する第二の実施例は、ガントリＰＧまたはＸＧにおける外周面への付設ではなくて、トンネルＴＮの軸芯方向での両側の面、あるいは片側だけのガントリＰＧまたはＸＧの面に乗載台ＴＤ１を付設する例である。図１０はその一例で、ガントリＸＧの一面側に操作パネルＳＰ４と乗載台ＴＤ１が併設された例で、ガントリＸＧが移動中であっても操作者は正確に操作を遂行することができる。この実施例二の場合も実施例一で挙げた各種の方式（図２〜図９）の乗載台を適用することも可能である。
【実施例３】
【００１９】
本考案が提供する第三の実施例は、ガントリＰＧまたはＸＧへの乗載台ＳＤ１１の架設を把手Ｇとの併設形にする形式のものである。
具体的には図１１に示すとおりであるが、操作パネルＳＰ３が外周に付設された一例で、操作パネルＳＰ３付設の近傍に把手Ｇが付設されている。この場合は把手Ｇを片方の手で把持し、他方の手で操作パネルＳＰ３を操作するようにすればガントリＰＧ、ＸＧが移動中であっても、極めて安全な操作が保障される。把手Ｇの高さ位置は上述のとおり操作パネルＳＰ３の位置の下方位に設定されるのが望ましい。なおＴＮはガントリＸＧのトンネルを示している。なお、図３、図４、図７、図８、図９、図１０、図１１において、図１３と同一符号の部品は、図１３と同一の部品であり、これらの部品についての詳細な説明は省略する。
【００２０】
図１２に示される実施例は図１１の変形実施例である。すなわち図１１の実施例は把手Ｇを付設した例であるが、この把手ＧがガントリＸＧの外周面から突出しており、周辺の部材などに衝突すると危険であることから、図１２の実施例は把手ＭＧがガントリＸＧの外周面から突出しないようにしたものである。すなわち、ガントリＸＧの外周面より円錐形凹部Ｍを形成し、この円錐形凹部Ｍの底辺に把手ＭＧを設置した例である。この実施例では把手ＭＧはガントリＸＧの外周面から突出しておらず危険性は解消される。
【００２１】
また操作パネルＳＰ４もガントリＸＧの面より内方に埋設した形の実施例で、ＳＤ１２は乗載台である。上記図２から図９に示される実施例においてはガントリＰＧについての実施例を挙げたが、ガントリＸＧについても同様に実施でき、図２から図９に限定されるものではない。さらに乗載台たとえば図１１における乗載台ＳＤ１１を図１１にて示す把手Ｇと同様の形で形成することもできる。なお図１１と同様ＴＮはガントリＸＧのトンネルを示している。
【図面の簡単な説明】
【００２２】
【図１】本考案が提供する医用画像診断装置の構成を示す図である。
【図２】本考案が提供する医用画像診断装置の構成を斜視的に示す図である。
【図３】本考案が提供する医用画像診断装置の構成を斜視的に示す図である。
【図４】本考案が提供する医用画像診断装置の構成を斜視的に示す図である。
【図５】本考案が提供する医用画像診断装置の構成を斜視的に示す図である。
【図６】本考案が提供する医用画像診断装置の構成を斜視的に示す図である。
【図７】本考案が提供する医用画像診断装置の構成を斜視的に示す図である。
【図８】本考案が提供する医用画像診断装置の構成を斜視的に示す図である。
【図９】本考案が提供する医用画像診断装置の構成を斜視的に示す図である。
【図１０】医用画像診断装置の構成を斜視的に示す図である。
【図１１】医用画像診断装置の構成を示す外観図である。
【図１２】医用画像診断装置の構成を示す図である。
【図１３】医用画像診断装置の操作を示す図である。
【図１４】医用画像診断装置の操作を示す図である。
【符号の説明】
【００２３】
１  固定ボルト
２  架設具
３  係止孔
４  支軸
５  ガイド溝
６  ピン
７  凹部
７Ｔ  把手
８  収納用凹部
９  出没ピン
１０  挿入孔
Ｂ  ベッド
ＥＤ  放射線検出器
Ｆ  フック部
Ｇ  把手
Ｋ  患者
ＬＳ  線源
Ｍ  円錐形凹部
ＭＢ  電動駆動部
ＭＧ  把手
ＯＰ  操作者
ＰＧ  ガントリ
Ｒ  レール
ＳＤ１  乗載台
ＳＤ２  乗載台
ＳＤ３  乗載台
ＳＤ４  乗載台
ＳＤ５  乗載台
ＳＤ６  乗載台
ＳＤ７  乗載台
ＴＤ１  乗載台
ＳＤ１１  乗載台
ＳＤ１２  乗載台
ＳＰ１  操作パネル
ＳＰ２  操作パネル
ＳＰ３  操作パネル
ＳＰ４  操作パネル
ＴＬ  車輪
ＴＮ  トンネル
ＸＤ  Ｘ線検出器
ＸＧ  ガントリ
ＸＳ  Ｘ線管球
【図１】
0003140785.tif 000003
【図２】
0003140785.tif 000004
【図３】
0003140785.tif 000005
【図４】
0003140785.tif 000006
【図５】
0003140785.tif 000007
【図６】
0003140785.tif 000008
【図７】
0003140785.tif 000009
【図８】
0003140785.tif 000010
【図９】
0003140785.tif 000011
【図１０】
0003140785.tif 000012
【図１１】
0003140785.tif 000013
【図１２】
0003140785.tif 000014
【図１３】
0003140785.tif 000015
【図１４】
0003140785.tif 000016